(57)【要約】      （修正有）【課題】直毛加工や曲毛加工など多様な形態の毛髪の手入れを全て容易にできる構造を有するヘアーアイロンを提供する。【解決手段】グリップ部分をなし、相互間の角度が一定の範囲内で変わるように回転可能に結合される上部ケース及び下部ケース、上部ケースに結合される上部ヒータブロック、下部ケースに結合される下部ヒータブロックを備える。上部ヒータブロックは半円筒型加熱部と半円筒型加熱部の内側一部に設けられるヒータを備える。下部ヒータブロックは溝筒型加熱部と溝筒型加熱部の中空空間に耐熱性弾性体を媒介に結合されて下部ヒータブロック全体を半円筒型にするヒータプレート及びヒータプレートの外に露出しない面に設けられるヒータを備え、ヒータプレートは弾性体の作用によって溝筒型加熱部と相対位置が変わる。【選択図】図１
0003159520.tif 000002
【実用新案登録請求の範囲】
【請求項１】
グリップ部分をなし、一端が弾性的結合手段を介して相互間の角度が一定の範囲内で変わるように回転可能に結合される上部ケース及び下部ケース、
上記上部ケースの上記下部ケースと結合されない他端に上記上部ケースの長手方向に延長される形態で結合される上部ヒータブロック、
上記下部ケースの上記上部ケースと結合されない他端に上記下部ケースの長手方向に延長される形態で結合される下部ヒータブロックを備え、
上記上部ヒータブロックは半円筒型加熱部と上記半円筒型加熱部の内側一部に設けられるヒータを備え、
上記下部ヒータブロックは溝筒型加熱部と上記溝筒型加熱部の中空空間に耐熱性弾性体を媒介に結合されて上記下部ヒータブロック全体を半円筒型にするヒータプレート及び上記ヒータプレートの外に露出しない面に設けられるヒータを備え、上記ヒータプレートは上記弾性体の作用によって上記溝筒型加熱部と相対位置が変わりながら上記溝筒型加熱部側へ押入されたり、チルト動作が可能に構成されることを特徴とするヘアーアイロン。
【請求項２】
上記下部ヒータブロックは上記上部ヒータブロックよりも幅が大きく、上記上部ヒータブロックの膨らんだ対応面を覆うように凹んだ対応面を有することを特徴とする請求項１に記載のヘアーアイロン。
【請求項３】
上記上、下部ヒータブロックが上記上、下部ケースに結合される端部と反対側端部には使用者が両手で毛髪を加工する時の上記グリップ部分を握る手と異なる手が把持することができるように耐熱性及び断熱性がある合成樹脂材質のキャップが設けられることを特徴とする請求項１に記載のヘアーアイロン。
【請求項４】
上記上、下部ケースには上記上部ヒータブロックと上記下部ヒータブロックが接近した状態で相互位置を固定させることができるようにロック(lock)構造が設けられることを特徴とする請求項１に記載のヘアーアイロン。
【請求項５】
上記弾性体は耐熱温度200℃以上のシリコーン(silicone)パッドで構成されることを特徴とする請求項１に記載のヘアーアイロン。
【請求項６】
上記合成樹脂材質のキャップは周辺部が上記半円筒型加熱部(金属筒)や溝筒型加熱部の側面と段差を形成するように上記半円筒型加熱部及び上記溝筒型加熱部よりも大きく形成されたり、周辺に外側に突出したリブを有することを特徴とする請求項３に記載のヘアーアイロン。
【考案の詳細な説明】
【技術分野】
【０００１】
本考案はヘアーアイロンに関し、より詳細には、毛髪のストレート加工及びカール加工を一つのヘアーアイロンで容易にできるようにする構造を有するヘアーアイロンに関する。
【背景技術】
【０００２】
一般的にヘアーアイロンとは、毛髪に熱を加えて多様なヘアスタイルを形成する装置として、一般の美容室や家庭で髪をセットする器具として広く使われている。
【０００３】
かかるヘアーアイロンにおいて高温状態で毛髪が触れる部分は平坦なプレート型や、円筒あるいは丸棒(rod)の側面のような曲面で構成される。一般的に、平坦なプレート型は直毛加工(ストレート加工)に適しており、曲面は曲毛加工(カール加工)に適していると知られている。
【０００４】
通常、ヘアーアイロンで毛髪加工を簡便にし、熱伝達を効率的に行うために毛髪が触れる高温の部分で毛髪を該高温部分と密着するように挟持する手段が備えられる。
【０００５】
したがって、大概のプレート型ヘアーアイロンでは一対の上、下部ケースの長手方向の一方の末端にヒンジとスプリングなどの手段(elements)を介してヒンジ軸を中心に一定の角度で回転可能に上、下部ケースを結合させる。また、長手方向にヒンジと離れる側の上、下部ケースの内面側(上、下部ケースが互いに対向する面)に毛髪に熱を伝達するヒータプレートを設け、二つのヒータプレートの間に毛髪を挟んだ状態で毛髪を加工する。
【０００６】
かかる形態のヘアーアイロンでヒンジと近接する側の上、下部ケースの内面側には内部カバーが設けられる。内部カバーは外部から導入された導線とヒータプレート側に設けられたヒータなど電気装置を連結する導線や調節回路が上、下部ケースに内蔵された状態でこれら導線や調節回路を覆うように設けられる。
【０００７】
また、大概のプレート型ヘアーアイロンではヒータプレートで毛髪が触れる面の裏面には直接熱を発生させてヒータプレートに伝達するヒータを設け、ヒータとヒータプレートをケースに設ける時には、これらが直接ケースに触れないように耐熱性合成樹脂からなるホルダにこれらを設けた状態で、ホルダをケースに装着する方法を使う。
【０００８】
そして、曲毛加工に適合するように棒状あるいは円筒型部分が毛髪に触れるように構成される円筒型ヘアーアイロン本体は長手方向から見る時、加工時に手で握るグリップ部分と、毛髪に触れて毛髪を加熱する棒状あるいは円筒型加熱部に分けることができる。毛髪を加熱部に密着、固定させるために、本体にはヒンジとスプリングなどを利用して本体に結合される把持部を有する。把持部のうちグリップ側部分を手の一部で押したり離したりすると、てこの原理で把持部の残りの部分は加熱部に密着したり離れるようになる。
【０００９】
プレート型ヘアーアイロンでは上、下部ケースの内面に平板形態のヒータプレートが設けられ、該ヒータプレートが毛髪に熱を加えるので、プレート型ヘアーアイロンは毛髪を曲毛加工するには適していなかった。すなわち、使用者が曲毛加工をするためにプレートで毛髪を曲げながら加工をすると、毛髪とプレートが触れる形態によって自然な毛髪曲線を得るのが困難であり、プレートの幅方向両端にあるエッジ部分でのみ毛髪が集中して鋭角に曲がるので、毛髪が自然にプレート面で滑るように加工するのが難く、毛髪が痛んだり抜けたり、頭皮に痛みを感じる問題があった。
【００１０】
反対に、円筒型加熱部を有するヘアーアイロンでは直毛加工をする場合、加熱部が曲面をなすので、毛髪と加熱部の接する部分が極めて少なくなり、加熱が効率的に行われ難い。
【００１１】
したがって、一つのヘアーアイロンで毛髪に対して直毛加工や曲毛加工を施すことは容易ではなかったり問題点があった。しかし、通常の家庭でこれらヘアーアイロンを複数購入して使うことは費用がかかり、保管空間を占め、特に携帯時にはさまざまなヘアーアイロンを一緒に携帯することは容易でない。
【考案の概要】
【考案が解決しようとする課題】
【００１２】
本考案は従来のヘアーアイロンの上述した問題点を解決するためのものであり、直毛加工や曲毛加工など多様な形態の毛髪の手入れを全て容易にできる構造を有するヘアーアイロンを提供することを目的とする。
【００１３】
本考案は多様な形態の毛髪の手入れを使用上の不便なしに効率的にできる構造を有するヘアーアイロンを提供することを目的とする。
【課題を解決するための手段】
【００１４】
上記目的を果たすための本考案のヘアーアイロンは、
グリップ部分をなし、一端が弾性的結合手段を介して角度が一定の角度範囲で回転可能に結合される上、下部ケース、
上部ケースの(下部ケースと)結合されない他端に(上部ケースの)長手方向に延長される形態で結合される上部ヒータブロック、
下部ケースの結合されない他端に長手方向に延長される形態で結合される下部ヒータブロックを備え、
上部ヒータブロックは半円筒型加熱部と上記半円筒型加熱部の内側一部に設けられるヒータを備え、
下部ヒータブロックは溝筒型加熱部と上記溝筒型加熱部の中空空間に耐熱性弾性体を媒介に結合されて(下部ヒータブロック)全体を半円筒型にするヒータプレート及びヒータプレートの外に露出しない面に設けられるヒータを備え、ヒータプレートは弾性体の作用によって上記溝筒型加熱部に対する相対位置が変わりながら、例えば、溝筒型加熱部側に接近するように押入されたり、長軸を中心にチルト動作(回転動作)が可能なように構成される。
【００１５】
本考案で、上部ヒータブロックと下部ヒータブロックのうち、一方は他方よりも幅が大きく、他方の膨らんだ対応面を覆うように凹んだ対応面を有することができる。
【００１６】
本考案で上、下部ケースに一側が結合されるヒータブロックの他側の端部には、耐熱性及び断熱性材質のキャップが設けられ、これらキャップの一部を使用者が手で握って毛髪加工ができるようにすることが好ましい。かかる耐熱性及び断熱性を有する材質としては既知の耐熱性及び断熱性に優れた合成樹脂材質を例示することができる。
【００１７】
本考案でヘアーアイロンにはロック(lock)構造が形成されて上、下部のヒータブロックが毛髪を挟んだまま密着した状態で使用者による押圧力を除去しても密着状態が維持されるようにすることができる。
【考案の効果】
【００１８】
本考案によれば、直毛加工や曲毛加工など多様な形態の毛髪の手入れを一つのヘアーアイロンで行うことができ、かかる多様な毛髪の手入れを使用上の不便なしに効率的に行うことができる。
【図面の簡単な説明】
【００１９】
【図１】本考案の一実施例によるヘアーアイロンを示す斜視図である。
【図２】本考案の一実施例によるヘアーアイロンを他の角度から見た分解斜視図である。
【図３】上、下部ヒータブロックの構成を示すために上、下部ヒータブロックを一部分において長手方向と垂直に切断した断面を示す断面図である。
【図４】下部ヒータブロックのヒータ、ヒータプレート、ヒューズ及びヒューズ固定スプリングが結合された状態を示す斜視図である。
【図５】ヒンジ部分をなすヒンジ軸及びスプリングを示す斜視図である。
【考案を実施するための形態】
【００２０】
以下、図面を参照しながら実施例を通じて本考案をより詳細に説明する。
【００２１】
図1は本考案の一実施例によるヘアーアイロンを示す斜視図であり、図2は本考案の一実施例によるヘアーアイロンを他の角度から見た分解斜視図である。
【００２２】
グリップ部分は従来のプレート型ヘアーアイロンと類似する態様を有している。グリップ部分をなす上、下部ケース(10、20)で長手方向(a)の一端はヒンジ及びヒンジ周囲に設けられたスプリングによって結合されている。裏側では図示されないが外部電源と連結された電力線が引出される。
【００２３】
上、下部ケース(10、20)は合成樹脂で溝筒形態で構成される。溝筒の凹んだ溝部分には毛髪加熱を担当するヒータブロック内のヒータ(33、43)に電力線から流れ込んでくる電流を供給するための導線と、電流を調節するための調節回路を具現したPCB(51、61)が設けられる。必要に応じてこの部分には送風機(図示しない)を設けることもできる。上、下部ケースは導線やPCBがケースの溝部分内に装着された状態で溝部分の開口はカバー(53、63)で覆われて仕上げられる。カバー部分にはPCB(51、61)に設けられた温度調節器などを調節するためのラジアルスイッチ(67)などを少なくとも一部が露出するように設けることができる。
【００２４】
上、下部ケース(10、20)の長手方向(a)前段(電力線が入力される側の反対側)には、それぞれ上部ヒータブロックと下部ヒータブロックが上、下部ケース(10、20)の長さを延長するように結合される。
【００２５】
図3は上、下部ヒータブロックの構成を示すために上、下部ヒータブロックを一部分において長手方向と垂直に切断した断面を示す断面図である。
【００２６】
上部ケース(10)に結合される上部ヒータブロックは半円筒型加熱部であって、一体に形成されて半円断面を有する金属筒(31)と該金属筒内部に密着するヒータ(33)を備えて構成される。ヒータ(33)にはヒューズや PTC(Positive thermal coefficient)が付着してヘアーアイロンが過熱すると電流を遮断するように構成される。金属筒(31)の長手方向に垂直な断面は略半円の円周部分(313)と半円の直径線に該当する直径線部分(315)があり、直径線部分(315)は完全な直線ではなく、曲率半径が大きい曲線をなし、外側に膨らんだ突出した形態をなす。円周部分(313)と直径線部分(315)の交わる部分は角度が生じないように自然な曲線で連結され、該部分には金属筒(31)の肉厚部分をなし、その部分に溝(311)が形成されている。該溝(311)は金属筒(31)の長さ全体を介して形成されて長手方向(a)両端を連結する。
【００２７】
金属筒(31)の長手方向(a)両端部には断熱性及び耐熱性を有する合成樹脂キャップ(38、39)が設けられる。ここで耐熱性及び断熱性は本技術分野で一般的かつ通常的な概念で使われ、かかる材料は既に合成樹脂分野で広く知られている範囲で使われる。例えば、合成樹脂キャップ(38、39)はヘアーアイロンで毛髪加工の最高温度である、例えば200℃あるいは220℃よりも高い温度に耐えられなければならず、毛髪と触れて熱を伝えながら加工するヒータブロック部分に比べて熱を伝達する性質が小さく、手で触る時にやけどの危険性のない程度でなければならない。
【００２８】
合成樹脂キャップ(38、39)のうち、上部ヒータブロックが上部ケース(10)と結合される端部に設けられたキャップ(39)には、上部ケース(10)との結合のための結合部材(55)が結合される。ここで、金属筒(31)と両端部のキャップ(38、39)と結合部材(55)はこれらそれぞれに形成された溝を長手方向に貫通する長いボルト(図示しない)によって一つに締結される。
【００２９】
結合部材(55)には長手方向(a)に開口した溝以外に、上下厚さ方向(c)に開口した溝を有し、該溝を介して溝筒形態の上部ケース(10)、上部ケース(10)をなす溝筒の開口側面を覆うカバー(53)と結合することができる。すなわち、結合部材(55)の溝と上部ケース(10)の溝及びカバー(53)の溝を整列し、該溝に嵌入されるボルト(図示しない)でこれら要素を結合することができる。
【００３０】
下部ケース(20)と下部ヒータブロックの結合構造も上部ケースと上部ヒータブロックの結合構造と類似して構成される。但し、下部ヒータブロックは上部ヒータブロックと異なる構造を有する。すなわち、下部ヒータブロックは上部ヒータブロックが半円断面の金属筒(31)を有するのに比べて、溝筒(groove:溝筒型加熱部:41)と溝筒(41)の開口部分を閉じているヒータプレート(47)を備える。ヒータプレート(47)の外部に露出した面の裏面にはヒータ(43)が設けられ、ヒータプレート(47)の幅方向(b)両端から裏面側に湾曲したスカート部の幅方向外側に突出した突出部(471)はシリコーンパッド(45)の溝に挟まれて固定される。シリコーンパッド(45)は下部ヒータブロックの溝筒(41)内部にある対応溝に挟まれた状態になる。シリコーンパッド(45)はヒータプレート(47)の最高温度に耐えることができる耐熱性を有する。
【００３１】
このため、ヒータプレート(47)は溝筒(41)の開口部分を閉じながら外部の圧力を受けると一定の範囲でシリコーンパッド(45)の弾性によって溝筒(41)中心に向かって全体的に押入されたり、幅方向(b)の一端が押されると他方は少し跳ね上がり、他方が押入されるとその一端が傾くチルト(tilt)動作が可能になる。
【００３２】
一方、下部ヒータブロックの幅は上部ヒータブロックの幅よりも少し大きく構成される。ヒータプレート(47)も完全な平面ではなく、上部ヒータブロックの金属筒(31)の断面形状で示される直径線部分(315)の膨らんだ形態を覆うことができるように、外観から見る時少し凹んだ曲面をなす。すなわち、ヒータプレート(47)を長手方向(a)と垂直な平面によって切断した断面から見ると、曲率半径が大きいため外部から見る時凹んだ形態の曲線をなす。但し、ヒータプレート(47)の幅方向(b)両端部は (角度のある角ではなく)下向きのスカート部(側面)と曲面をなしながら続き、毛髪を滑らせる時に毛髪の流れを邪魔しないように構成される。下部ヒータブロックの幅は上部ヒータブロックの幅よりも少し大きく構成され、互いに触れる部分で下部ヒータブロックが上部ヒータブロックを一部覆うように形成される。
【００３３】
溝筒(41)の一部は肉厚部分(壁体)を有し、該部分には長手方向に長く溝筒(41)の長手方向の両端を連結する溝(411)が形成される。該溝(411)が上部ヒータブロックの金属筒(31)に長く形成された溝(311)のような機能をする。したがって、下部ヒータブロックの長手方向の両端にある合成樹脂キャップ(48、49)と、結合部材(65)の結合は上部ヒータブロックの場合のような方式からなり(溝を長手方向に貫通する図示しない長いボルトによって一つに締結される)、結合部材(65)と下部ケース(20)及びカバー(63)の結合も同様な方式で(上下厚さ方向に溝を整列し、該溝に挟まれる図示しないボルトでこれら要素を結合する方式)構成される。
【００３４】
下部ヒータブロックをなすヒータ(43)にも過熱防止のための PTC(positive thermal coefficient)やヒューズを設けることができる。例えば、図4を参照に具体的な一実施例を説明すると、発熱構造体であるヒータブロックは外に露出して毛髪に接するヒータプレート(47)と、ヒータプレートの内側面(下部ケース内部が見える側面)に設けられ熱を伝達するために熱を発生させるヒータ(43)と、ヒータと接触しながら過熱現象が発生するとヒータに電源連結を切るヒューズ、ヒータプレートとヒータ及びヒューズを密着結合させるためのヒューズ固定スプリング(46)を備える。
【００３５】
ヒューズ(44)はヒータ(43)で発生した熱がヘアーアイロンの使用最高温度である、例えば、200℃あるいは220℃を越えると内部導線が熱にとけて切断されることによって、ヒューズ(44)と電気的に連結されたヒータ(43)に流れる電流を遮断するように構成される。
【００３６】
ヒューズ固定スプリング(46)は弾性を有する鋼板からなり、口字型矩形フレームで長手方向の両端の辺や、幅方向の辺や、内側辺で一部が突出し、二重折曲されることによって、スプリング作用をしてヒータとヒータプレート及びヒューズが互いに密着可能なように物理的に結合させる役目をする。
【００３７】
別途図示しないが、ヒータ及びヒータプレートの間でヒータから発生した熱がヒータプレートに均一に伝達するように、粘液状のシリコーン(silicone)グリース層をさらに使うことができる。通常、ヒータプレート(47)や溝筒(41)及び金属筒(31)はアルミニウムやステンレスのような金属にセラミックスコーティング、テフロン（登録商標）コーティングのようなコーティングを施して使う。
【００３８】
一方、上部ケースには上部ケースと下部ケースを接近させた状態で手を離してもその接近状態を維持するようにロックスイッチ(57、係止部(571)を含む)が設けられ、ロックスイッチ(57)に対応する位置に下部ケース(20)には溝(631)が設けられ、ロックスイッチ(57)を動かすと係止部(571)が下部ケースの溝(631)に係止したり解除されるようになっている。
【００３９】
上、下部ケース(10、20)が互いに一定の範囲で回転稼動が可能に結合される一端の構成は通常的であるため、図5を参照して概略的に一例について説明すると、回転稼動が可能に結合される部分はヒンジ構造で構成される。上、下部ケース(10、20)にはヒンジ軸(73)によって貫通される溝(13、23)が設けられ、ヒンジ軸(73)周囲にスプリング(75)が設けられる。手で力を加えて上、下部ケース(10、20)を互いに接近する方向に押すと、上、下部ケースのヒータブロックは互いに接近して毛髪をその間に挟んだまま熱を伝達するようになる。手の力を弱めると、ロックスイッチ(57)の掛かった状態でない場合は上、下部ケースは開いた状態に還元される。
【００４０】
（実施例）
以上のような構造及び形態を有する実施例でのヘアーアイロンに対する使用方法を考察すると、直毛加工時には従来のプレート型ヘアーアイロンの使用時と同様に毛髪を上、下ヒータブロックの間に挟んで髪方向に滑らせる動作を取るようになる。
【００４１】
一方、曲毛加工時には所望の毛髪の曲率程度によって他の方式で毛髪を加工することができる。例えば、上、下ヒータブロックの間に毛髪を挟んでヘアーアイロンのヒータプレート(47)が毛髪と角度を有するようにヘアーアイロンを傾けた状態で毛髪を滑らせたり、上部ヒータブロックの金属筒(31)周囲で毛髪を巻いてゆっくり引っぱりながら毛髪が金属筒表面で滑らせるようにすることができる。また、上、下部ケースをロックスイッチ(57)を掛けて密着するようにすると、上、下部ヒータブロックは互いに密着して正確ではないが一つの大きい円筒をなすようになり、該円筒周囲で毛髪を巻いて引っぱり、毛髪が上、下部ヒータブロックの曲面部分と接触した状態で滑らせることができる。
【００４２】
この時、上部ヒータブロックの金属筒(31)はヒータ(33)が密着した直径線部分(315) 以外の部分も金属の熱伝導性に優れるため、全て加熱部となって毛髪成形に利用することができる。また、下部ヒータブロックの溝筒(溝筒型加熱部:41)にはヒータ(43)が設けられていないが、ヒータプレート(47)に設けられたヒータ(43)の輻射熱や一部接触部を介してヒータプレートからの伝導熱を受けて加熱されるため、毛髪成形に利用することができる。
【００４３】
毛髪を上、下部ヒータブロックの間に挟んだ状態で毛髪とヘアーアイロンのヒータプレート(47)が角度を有するようにし、毛髪を滑らせる時にはヒータプレートの幅方向(b)両端が曲面をなし、ヒータプレート(47)を固定しているシリコーンパッド(45)のような弾性体によってヒータプレートが伸縮的に動くため、毛髪を容易に滑らせることができる。したがって、毛髪が上、下ヒータブロックの間にきつく挟まれて毛髪が損傷したり、頭皮に痛みを感じる問題が軽減される。
【００４４】
毛髪を挟んだ状態で、片手だけでヘアーアイロンを持ち継続して作業をすることは、たとえヘアーアイロンが軽い場合にも、毛髪を掴むために握力を加えなければならないため、不便な作業となり得る。一方、従来のプレート型ヘアーアイロンではヒータプレート(47)面だけが露出しており、ヒータプレート(47)周辺が全て合成樹脂ケースで覆われているため、長手方向にヒンジが設けられた反対側でもう一方の手でケースの外側端部を握り毛髪を両手で引っぱることができるため、かかる問題は大きくない。
【００４５】
しかし、本考案ではヒータブロックがケースで覆われておらず、全般的に露出しているため、もう一方の手で握るケース部分がない。したがって、ヒンジが設けられた端部の反対側端部をもう一方の手で握ることができるように、ヒータブロックにはキャップ(38、48)が結合されている。また、該キャップはヘアーアイロンを床に置く時に上部ヒータブロックの金属筒(31)や下部ヒータブロックの溝筒(41)外面が直接床に触れて問題を起こすことを防ぐため、金属筒(31)や溝筒(41)外面と段差を形成するように外径が少し大きく形成されたり、周辺に外側に突出したリブを有するのが好ましい。また、キャップ(38、48)は両手で毛髪を加工する時に便利なように、グリップ部分を握る手以外のもう一方の手で容易に握ることができるように、長手方向に突出したチップ(381、481)を有するのが好ましい。
【００４６】
以上で本考案は記載された具体的実施例に対してのみ詳細に説明したが、本考案の技術思想範囲内で多様な変形及び修正が可能であることは当業者において明白であり、かかる変形及び修正が添付された実用新案登録請求の範囲に属することは当然である。
【符号の説明】
【００４７】
10：上部ケース
20：下部ケース
31：金属筒
38、39：合成樹脂キャップ
41：溝筒
33、43：ヒータ
47：ヒータプレート
51、61：PCB
53、63：カバー
55：結合部材
67：ラジアルスイッチ
【図１】
0003159520.tif 000003
【図２】
0003159520.tif 000004
【図３】
0003159520.tif 000005
【図４】
0003159520.tif 000006
【図５】
0003159520.tif 000007
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
グリップ部分をなし、一端が弾性的結合手段を介して相互間の角度が一定の範囲内で変わるように回転可能に結合される上部ケース及び下部ケース、
上記上部ケースの上記下部ケースと結合されない他端に上記上部ケースの長手方向に延長される形態で結合される上部ヒータブロック、
上記下部ケースの上記上部ケースと結合されない他端に上記下部ケースの長手方向に延長される形態で結合される下部ヒータブロックを備え、
上記上部ヒータブロックは半円筒型加熱部と上記半円筒型加熱部の内側一部に設けられるヒータを備え、
上記下部ヒータブロックは溝筒型加熱部と上記溝筒型加熱部の中空空間に耐熱性弾性体を媒介に結合されて上記下部ヒータブロック全体を半円筒型にするヒータプレート及び上記ヒータプレートの外に露出しない面に設けられるヒータを備え、上記ヒータプレートは上記弾性体の作用によって上記溝筒型加熱部と相対位置が変わりながら上記溝筒型加熱部側へ押入されたり、チルト動作が可能に構成されることを特徴とするヘアーアイロン。
【請求項２】
上記下部ヒータブロックは上記上部ヒータブロックよりも幅が大きく、上記上部ヒータブロックの膨らんだ対応面を覆うように凹んだ対応面を有することを特徴とする請求項１に記載のヘアーアイロン。
【請求項３】
上記上、下部ヒータブロックが上記上、下部ケースに結合される端部と反対側端部には使用者が両手で毛髪を加工する時の上記グリップ部分を握る手と異なる手が把持することができるように耐熱性及び断熱性がある合成樹脂材質のキャップが設けられることを特徴とする請求項１に記載のヘアーアイロン。
【請求項４】
上記上、下部ケースには上記上部ヒータブロックと上記下部ヒータブロックが接近した状態で相互位置を固定させることができるようにロック(lock)構造が設けられることを特徴とする請求項１に記載のヘアーアイロン。
【請求項５】
上記弾性体は耐熱温度200℃以上のシリコーン(silicone)パッドで構成されることを特徴とする請求項１に記載のヘアーアイロン。
【請求項６】
上記合成樹脂材質のキャップは周辺部が上記半円筒型加熱部や溝筒型加熱部の側面と段差を形成するように上記半円筒型加熱部及び上記溝筒型加熱部よりも大きく形成されたり、周辺に外側に突出したリブを有することを特徴とする請求項３に記載のヘアーアイロン。